(57)【特許請求の範囲】
【請求項１】
画像読み取り装置の原稿台に載置される面光源装置であって、
前記画像読み取り装置の主走査方向の中央部において副走査方向へ伸びて設置されている光源部と、
前記光源部から照射された光を拡散する第１拡散部材と、
前記光源部から照射された光を前記第１拡散部材へ反射する反射部材と、
主走査方向の幅が前記光源部より大きく前記第１拡散部材より小さく形成され、前記光源部の前記第１拡散部材側に副走査方向に伸びて設置され、前記光源部から照射された光を前記第１拡散部材へ拡散する第２拡散部材とを備え、
前記光源部から前記第２拡散部材までの距離をＤ１、前記第２拡散部材から前記第１拡散部材までの距離をＤ２とすると、
Ｄ１≦Ｄ２
に設定されていることを特徴とする面光源装置。
【請求項２】
前記反射部材の反光源部側に設置され、前記光源部を駆動する駆動回路部をさらに備えることを特徴とする請求項１記載の面光源装置。
【請求項３】
前記第１拡散部材および前記第２拡散部材は、平板状であることを特徴とする請求項１または２記載の面光源装置。
【請求項４】
前記光源部は、蛍光管ランプを有することを特徴とする請求項１、２または３記載の面光源装置。
【請求項５】
請求項１から４のいずれか一項記載の面光源装置を備え、画像読み取り装置の原稿台に搭載され、前記原稿台に載置された原稿を照射することを特徴とする透過原稿用光源装置。
【請求項６】
請求項５記載の透過原稿用光源装置と、
前記透過原稿用光源装置が搭載される原稿台と、
前記原稿台に載置される原稿を透過した前記透過原稿用光源装置からの光を電気信号に変換して出力する撮像手段と、
を備えることを特徴とする画像読み取り装置。
【請求項７】
前記透過原稿用光源装置は、前記原稿台の主走査方向中央部近傍に載置されることを特徴とする請求項６記載の画像読み取り装置。
【請求項８】
前記原稿台に前記原稿および前記透過原稿用光源装置を位置決めして支持する原稿ホルダをさらに備えることを特徴とする請求項６または７記載の画像読み取り装置。
【発明の詳細な説明】
【０００１】
【発明の属する技術分野】
本発明は、面光源装置、透過原稿を照射する透過原稿用光源装置および画像読み取り装置に関する。
【０００２】
【従来の技術】
従来より、筐体の上方に例えばガラスなどの透明な部材から形成されている原稿台が配置されている例えばスキャナや複写機などのフラットベット型の画像読み取り装置が公知である。フラットベット型の画像読み取り装置は、原稿台の下方から光を照射し原稿の表面で反射した光を読み取ることができるだけでなく、原稿台の上方から光を照射することにより例えばポジフィルムやネガフィルムなどの透過原稿を読み取ることができる。
【０００３】
ポジフィルムやネガフィルムなどの透過原稿を読み取る場合、原稿台の上方に載置される透過原稿用光源装置から光が照射される。透過原稿用光源装置には、原稿を均一に照射する面光源が用いられる。上記のような透過原稿は、例えば紙などの反射原稿と比較して読み取り範囲が狭い。そのため、透過原稿を照射する透過原稿用光源装置は、光の照射範囲を限定し小型化および軽量化が図られている。
【０００４】
【発明が解決しようとする課題】
透過原稿用光源装置は、光源部と、光源部から照射された光を原稿へ導く導光手段とを備えている。導光手段としては、光源部からの光を反射あるいは拡散させる部材が用いられる。
【０００５】
透過原稿用光源装置の小型化、特に透過原稿用光源装置の高さ方向の小型化を図る場合、光源部と原稿面との間の距離を小さくする必要がある。しかし、光源部を原稿面に接近させると、原稿面を均一に照射することが困難である。これは、光源部の近傍に比較してランプ部材から遠隔の位置では光量が小さくなるからである。光源部と原稿面との間の距離を大きくすることにより、透過原稿に面均一な光を照射することが可能となるものの、透過原稿用光源装置が高さ方向に大型化するという問題がある。また、透過原稿へ照射される光が不均一になると、透過原稿に照射される光の光量が原稿の位置によって相違するため、読み取られる画像に濃淡が生じ画質の低下を招く。
【０００６】
そこで、本発明の目的は、体格が大型化することなく面均一に光を照射する面光源装置および透過原稿用光源装置を提供することにある。
また、本発明の他の目的は、読み取られる画像の画質を向上する画像読み取り装置を提供することにある。
【０００７】
【課題を解決するための手段】
本発明の請求項１または４記載の面光源装置によると、光源部と第１拡散部材との間には第２拡散部材が設置されている。第２拡散部材は、光源部から照射された光を散乱させ第１拡散部材へ直接照射されるのを防止する。光源部から照射された光は光源部の近傍で最も光量が大きくなる。第２拡散部材を光源部と第１拡散部材との間に設置することにより、光源部から照射された光は第２拡散部材で散乱された後、第１拡散部材へ入射する。そのため、光源部から照射された光は第１拡散部材に到達するまでに第１拡散部材の面に均一に照射される。これにより、面光源装置の体格を小型化するため、光源部と第１拡散部材との距離を小さくした場合でも、面均一な光の照射をすることができる。
【０００８】
また、反射部材は光源部から照射された光を第１拡散部材へ反射する。光源部からの光を反射することにより、光源部から照射された光を有効に利用することができるだけでなく、光量が不足しがちな第１拡散部材の周辺部に光を照射することができる。したがって、面均一な光の照射をすることができる。
さらに、光源部から第２拡散部材までの距離Ｄ１と第２拡散部材から第１拡散部材までの距離Ｄ２とはＤ１≦Ｄ２となるように設定している。Ｄ２をＤ１以上に設定することにより、第２拡散部材で散乱された光は面均一に第１拡散部材へ入射する。そのため、面均一な光を照射することができる。
【０００９】
本発明の請求項２記載の面光源装置によると、光源部を駆動する駆動回路部は反射部材の反光源部側に設置されている。そのため、駆動回路部を第１拡散部材の周辺に設置する必要がなく、面光源装置の水平方向の体格を小型化することができる。
本発明の請求項３記載の面光源装置によると、第１拡散部材および第２拡散部材は平板状である。そのため、例えば液晶パネルや透過原稿など平板状あるいはフィルム状の物品を面均一に照射することができる。
【００１１】
本発明の請求項５記載の透過原稿用光源装置によると、請求項１から４のいずれか一項記載の面光源装置を備えている。そのため、画像読み取り装置の原稿台に載置された例えばポジフィルムやネガフィルムなどの透過原稿を面均一に照射することができる。
【００１２】
本発明の請求項６記載の画像読み取り装置によると、請求項５記載の透過原稿用光源装置を備えている。そのため、原稿台に載置された透過原稿は面均一に光が照射される。これにより、透過原稿には光が均一に照射され、透過原稿の位置により照射される光の光量にばらつきが生じることがない。したがって、読み取られる画像に光量のばらつきによる濃淡が生じることがなく、読み取られた画像の画質を向上することができる。
【００１３】
本発明の請求項７または８記載の画像読み取り装置によると、透過原稿用光源装置は主走査方向の中心部近傍に搭載される。撮像手段は例えばレンズおよびラインセンサなどから構成されている。そのため、原稿から入射する光はレンズを通過してラインセンサに結像する。しかし、レンズは球面であるため、主走査方向の中央部に比較して周辺部には歪みが生じ画質が低下する。したがって、透過原稿用光源装置および原稿を主走査方向の中央部に載置することにより、撮像手段で結像する画像に歪みが低減され、読み取られる画像の画質を向上することができる。
【００１４】
【発明の実施の形態】
以下、本発明の実施の形態を示す一実施例を図面に基づいて説明する。
本発明の一実施例による画像読み取り装置を適用したスキャナを図２に示す。図２に示すスキャナは、面光源装置を備える透過原稿用光源装置（以下、透過原稿用光源装置を「透過光源ユニット」という。）４０が搭載されている。
【００１５】
図２に示すように、スキャナ１は箱形の本体１０の内部にキャリッジ２０を備えている。この本体１０の上方に原稿台１１が設けられている。原稿台１１の上方には、透過原稿２を保持する原稿ホルダ６０および透過光源ユニット４０が搭載されている。
【００１６】
キャリッジ２０は、駆動部２１により駆動軸２２に沿って副走査方向へ往復移動可能である。駆動部２１は、モータ２１１、伝達部２１２および駆動ベルト２１３を有している。モータ２１１は駆動力を発生し、伝達部２１２を経由して駆動ベルト２１３を駆動する。伝達部２１２は、モータ２１１から発生した駆動力を減速して駆動ベルト２１３へ伝達する。駆動ベルト２１３は、伝達された駆動力によりキャリッジ２０を駆動する。
【００１７】
キャリッジ２０には、反射原稿用の光源２３、ミラー２４、集光レンズ２５、ラインセンサ２６およびＡ／Ｄ変換部２７が搭載されている。ミラー２４は、ラインセンサ２６に集光される原稿からの光を反射し、光路長を長くするために設けられている。集光レンズ２５は、光を集光しラインセンサ２６に入射させる。ラインセンサ２６はＣＣＤ（Charge Coupled Device）などの光電変換素子からなる複数の画素を有し、複数の画素は主走査方向へ直線上に配列されている。Ａ／Ｄ変換部２７は、ラインセンサ２６から出力されたアナログの電気信号をデジタルの電子データに変換する。ミラー２４、集光レンズ２５、ラインセンサ２６およびＡ／Ｄ変換部２７により撮像手段が構成されている。
【００１８】
本体１０の内部には、図３に示すように処理部３０が搭載されている。処理部３０は、ＣＰＵ（Central Processing Unit）３１、ＲＡＭ（Random Access Memory）３２、ＲＯＭ（Read Only Memory）３３、ならびにデータ作成部３４から構成されている。ＣＰＵ３１は、駆動部２１によるキャリッジ２０の制御、光源の点滅の制御、ならびにデータ作成部３４で作成される画像データの処理などスキャナ１全体の制御を行う。ＲＡＭ３２は、デジタルの電気信号から作成されるデジタルデータ、あるいはデジタルデータに基づいてデータ作成部３４で作成される画像データなどを一時的に格納する。ＲＯＭ３３にはＣＰＵ３１によりスキャナ１の各部を制御するためのコンピュータプログラムが格納されている。
【００１９】
データ作成部３４は、シェーディング補正部３４１、ガンマ補正部３４２、ならびにその他の補正部３４３から構成されている。シェーディング補正部３４１は、Ａ／Ｄ変換部２７から出力されたデジタルの電気信号を、読み取り開始前に白基準が読み取られることで得られた補正データを用いて、ラインセンサ２６の素子ごとの感度のばらつきを補正する。ガンマ補正部３４２では、所定のガンマ関数によりガンマ補正が行われる。その他の補正部３４３では、色補正、エッジ強調および領域拡大／縮小などの諸変換を実施する。これらの処理によりラインセンサ２６から出力されたデジタルの電気信号はデジタルの画像データとして作成される。
データ作成部３４で作成されたデジタルの画像データは、本体１０に設けられているインターフェイス３５から外部に接続されている例えばパーソナルコンピュータ（以下、パーソナルコンピュータを「パソコン」という。）５などの処理装置へ出力される。
【００２０】
次に、透過光源ユニット４０について詳細に説明する。
透過光源ユニット４０は、図１に示すように上カバー４１、下カバー４２、光源部としての蛍光管ランプ４３、第１拡散部材４４、第２拡散部材４５、反射部材４６および駆動回路４７を有している。上カバー４１および下カバー４２は、嵌合部４８により一体に結合されている。下カバー４２には第１拡散部材４４が固定されている。また、下カバー４２の反上カバー側には突出部４２１が形成されている。上カバー４１および下カバー４２により部材を収容する空間部４９が形成されており、この空間部４９に蛍光管ランプ４３、第２拡散部材４５、反射部材４６および駆動回路４７が収容されている。
【００２１】
光源部としての蛍光管ランプ４３は、図２に示すようにスキャナ１の副走査方向に対応するように延伸して設置されている。蛍光管ランプ４３としては、例えば水銀ランプあるいはキセノンランプなどが用いられる。蛍光管ランプ４３は、副走査方向の両端部が反射部材４６に支持されている。
【００２２】
図１および図２に示すように第１拡散部材４４は、平板状の部材であり、透過光源ユニット４０の原稿台１１側すなわち下カバー４２に設置されている。第１拡散部材４４は、入射した光を複数の方向へ反射または散乱させる部材であり、蛍光管ランプ４３から入射した光を散乱する。これにより、蛍光管ランプ４３から第１拡散部材４４へ入射した光は、原稿台１１側へ面状に照射される。
【００２３】
第２拡散部材４５は、第１拡散部材４４と同様に平板状の部材であり、蛍光管ランプ４３と第１拡散部材４４との間に設置されている。第２拡散部材４５も第１拡散部材４４と同様に、入射した光を複数の方向へ反射または散乱させる。第２拡散部材４５はスキャナ１の副走査方向に対応するように延伸して設置されている。第２拡散部材４５は、副走査方向の両端部が反射部材４６に支持されている。
【００２４】
第１拡散部材４４および第２拡散部材４５は、蛍光管ランプ４３から第２拡散部材４５までの距離をＤ１、第２拡散部材４５から第１拡散部材４４までの距離をＤ２とすると、Ｄ１≦Ｄ２となるように設置されている。Ｄ１≦Ｄ２とすることにより、第２拡散部材４５により散乱された光の蛍光管ランプ４３の軸に垂直な方向すなわちスキャナ１の主走査方向の光量の分布は、図４に示すようにＤ１＞Ｄ２としたときと比較して平坦になる。つまり、スキャナ１の主走査方向で光量の分布が平均化される。
【００２５】
図１に示すように反射部材４６は、蛍光管ランプ４３の反第１拡散部材側を包囲するように設置されている。反射部材４６は、蛍光管ランプ４３から照射された光のうち第１拡散部材４４および第２拡散部材４５の方向へ進行しない光、ならびに第１拡散部材４４および第２拡散部材４５により蛍光管ランプ４３側に反射した光を、第１拡散部材４４方向へ反射する。反射部材４６を設置することにより照射された光を有効に活用でき、光量が小さな蛍光管ランプ４３を使用した場合でも十分な光量が確保される。
【００２６】
駆動回路４７は、蛍光管ランプ４３へ供給する電力を制御する。駆動回路４７は、スキャナ１の図示しない電源部に接続されており、スキャナ１から電力の供給を受ける。スキャナ１から供給された電力は、駆動回路４７により制御され蛍光管ランプ４３へ供給される。駆動回路４７は、反射部材４６の反蛍光管ランプ側に設置されている。
蛍光管ランプ４３、第２拡散部材４５および駆動回路４７は、反射部材４６に設置されている。そのため、蛍光管ランプ４３、第２拡散部材４５、駆動回路４７および反射部材４６は一体のモジュールとして構成されている。
【００２７】
次に、上記の構成による透過光源ユニット４０の光量分布について説明する。図５に示すように、透過光源ユニット４０を構成する部材の組合せと光量分布について説明する。図５では、第１拡散部材４４から原稿側へ照射される光量の分布を示し、蛍光管ランプ４３の軸に垂直な方向すなわちスキャナ１の主走査方向の光量の分布を示している。
【００２８】
図５（ａ）では、蛍光管ランプ４３および第１拡散部材のみで透過光源ユニットを構成した場合、第１拡散部材４４から原稿側へ照射される光量の分布について示している。光量は光源である蛍光管ランプ４３からの距離に相関するため、蛍光管ランプ４３の近傍ほど第１拡散部材４４へ到達する光量は大きい。そのため、第１拡散部材４４から照射される光量も図５（ａ）に示すように第１拡散部材４４の中央部ほど大きく両端部ほど小さくなる。
【００２９】
図５（ｂ）は、図５（ａ）の構成に反射部材４６を追加した構成である。反射部材４６を追加することにより、蛍光管ランプ４３から照射された光のうち第１拡散部材４４へ直接到達しない光は反射部材４６で反射される。反射部材４６へ入射した光は第１拡散部材４４方向、特に第１拡散部材４４の両端部へ反射される。これにより、図５（ａ）に示す構成と比較して、第１拡散部材４４の両端部における光量が増大する。そのため、図５（ａ）に示す構成と比較して光量の分布が平均化される。
【００３０】
図５（ｃ）は、図５（ａ）の構成に第２拡散部材４５を追加した構成である。第２拡散部材４５を追加することにより、蛍光管ランプ４３から照射された光のうち第１拡散部材４４へ直接到達する光の光量が低下する。一方、第２拡散部材４５により蛍光管ランプ４３から照射された光は平均化されるため、蛍光管ランプ４３と第１拡散部材４４との間に第２拡散部材４５が挿入されている部位では図５（ｃ）に示すように光量分布のピークが小さくなる。
【００３１】
図５（ｄ）は、図５（ｃ）の構成に反射部材４６を追加した構成である。反射部材４６を追加することにより、図５（ｂ）の構成と同様に第１拡散部材４４の両端部における光量が増大する。また、第２拡散部材４５を追加しているので、光量分布のピークが小さくなる。その結果、図５（ｄ）の構成では、光量ピークが減少され、かつ第１拡散部材４４の両端部における光量が増大する。したがって、光量の分布は蛍光管ランプ４３の軸に垂直な方向に平均化され、均一になる。蛍光管ランプ４３の軸方向の光量の分布はほぼ均一であるため、第１拡散部材４４からは面均一な光が照射される。
【００３２】
次に、原稿ホルダ６０について説明する。
原稿ホルダ６０は、図２に示すように原稿台１１に載置される。原稿ホルダ６０は、例えばポジフィルムあるいはネガフィルムなどの透過原稿２を保持する。ポジフィルムは例えばフィルムマウントに保持された状態で原稿ホルダ６０に取り付けられる。ネガフィルムは直接原稿ホルダ６０に取り付けられる。原稿ホルダ６０は、図６に示すように原稿台１１の周囲に設置されている原稿ガイド１２と当接することにより位置決めされる。原稿ホルダ６０は、透過光源ユニット４０からの光が通過する開口部６１、原稿を保持する保持部６２ならびに白基準設定用の白基準窓６３が形成されている。保持部６２は、開口部６１の周囲に形成され、透過原稿２であるフィルムが挿入またはフィルムマウントが挿入される。白基準窓６３は透過光源ユニット４０から照射された光が通過する。白基準窓６３を通過した光をラインセンサ２６で受光することにより、白基準が設定される。
【００３３】
原稿ホルダ６０には原点設定マーク６４が設けられている。原点設定マーク６４と原稿ガイド１２に設けられている原点マーク１４とを対応させて原稿ホルダ６０を原稿台１１上に載置することにより、原稿ホルダ６０は適正な載置位置および載置方向に載置することができる。また、原稿ホルダ６０には嵌合部６５が形成されている。嵌合部６５には、透過光源ユニット４０の下カバー４２に形成されている突出部４２１が嵌合される。嵌合部６５に突出部４２１を嵌合させることにより、図７に示すように透過光源ユニット４０は原稿ホルダ６０の所定位置に位置決めされて搭載される。透過光源ユニット４０は、原稿ホルダ６０に位置決めされることによりスキャナ１の主走査方向中心部近傍に搭載される。これにより、透過光源ユニット４０は原稿台１１の所定位置に搭載され、透過光源ユニット４０から照射される光は開口部６１および白基準窓６３を経由してキャリッジ２０へ入射される。
【００３４】
次に、上述したスキャナ１の作動について説明する。
ユーザは読み取りを所望する透過原稿２を原稿ホルダ６０にセットして原稿台１１上に載置する。そして、パソコン５で起動されている例えばＴＷＡＩＮなどのスキャナ１を制御するためのドライバプログラムを経由して、スキャナ１に対し透過原稿２の読み取り開始を指示する。
【００３５】
ユーザから透過原稿２の読み取り開始の指示があると、ＣＰＵ３１は駆動回路４７への電力の供給を命令し蛍光管ランプ４３を点灯させる。そして、ＣＰＵ３１は駆動部２１を制御することによりキャリッジ２０を副走査方向へ一定速度で移動させる。ラインセンサ２６には透過原稿２を通過した光が入射され、入射された光は電荷に変換されて蓄積される。蓄積された電荷は所定時間ごとに発生される駆動信号によりラインセンサ２６の図示しないシフトレジスタへ転送され、１ライン分の電気信号が順次データ作成部３４へ出力される。データ作成部３４で補正がされたデジタルの画像データはインターフェイス３５を経由してパソコン５へ出力される。
キャリッジ２０を一定速度で副走査方向へ移動させつつ、上記の処理を繰り返すことにより透過原稿２の読み取りが行われる。
【００３６】
以上、説明したように、本発明の一実施例によるスキャナ１に用いる透過光源ユニット４０によると、蛍光管ランプ４３と第１拡散部材４４との間に第２拡散部材４５が設置されている。第２拡散部材４５は、蛍光管ランプ４３から照射された光を散乱させ、蛍光管ランプ４３から照射された光が至近距離にある第１拡散部材４４へ直接入射するのを防止する。また、蛍光管ランプ４３の反第１拡散部材側に反射部材４６が設置されている。そのため、蛍光管ランプ４３から照射された光を第１拡散部材４４の方向へ反射し、第１拡散部材４４の主走査方向の両端部の光量を増大させる。これにより、透過光源ユニット４０の主走査方向において透過原稿２へ照射される光量のばらつきが低減され、また蛍光管ランプ４３の副走査方向への光量のばらつきは小さいため、透過光源ユニット４０から透過原稿２へは面均一な光を照射することができる。
【００３７】
また、本実施例では第２拡散部材４５を設置することにより、蛍光管ランプ４３と第１拡散部材４４との間の距離を拡大することなく面均一な光を照射することができる。そのため、透過光源ユニット４０の体格の大型化を防止することができる。
【００３８】
本実施例では、駆動回路４７を反射部材４６の反蛍光管ランプ側に形成される空間部に設置している。反射部材４６の反蛍光管ランプ側はデッドスペースであるため、その空間を有効に活用でき駆動回路４７を第１拡散部材４４の周辺に設置する必要がない。したがって、透過光源ユニット４０の設置面積が拡大することを防止できる。
【００３９】
さらに、本実施例の透過光源ユニット４０では、反射部材４６に蛍光管ランプ４３、第２拡散部材４５および駆動回路４７が設置されている。そのため、透過光源ユニット４０を構成する部材を反射部材４６とともにモジュール化することができる。したがって、透過光源ユニット４０の部品点数を低減することができ、透過光源ユニット４０の組み付けを容易に実施することができる。
【００４０】
本発明の一実施例によるスキャナ１によると、読み取りの対象となる透過原稿２に透過光源ユニット４０から面均一な光が照射される。そのため、透過原稿２の位置ごとに照射される光量のばらつきを防止することができる。したがって、読み取られる画像にムラが発生することがなく、読み取られた画像の画質を向上することができる。
【００４１】
また、本発明の一実施例によるスキャナ１によると、透過光源ユニット４０は原稿ホルダ６０に位置決めされることにより主走査方向の中心部近傍に搭載される。透過原稿２を透過した光は、集光レンズ２５を経由してラインセンサ２６に集光され結像する。集光レンズ２５は表面が曲面であるため、レンズの周辺部を通過した光により形成される像には歪みが生ずる。すなわち、ラインセンサ２６に結像する像は主走査方向の中央部ほど歪みが少ない。そこで、透過光源ユニット４０ならびに原稿ホルダ６０に位置決めされた透過原稿２を主走査方向の中央部に搭載することにより、読み取られる画像の歪みを低減することができる。したがって、読み取られた画像の画質を向上することができる。
【００４２】
以上、本発明の一実施例では面光源装置をスキャナの透過光源ユニットとして適用する例について説明した。しかし、本発明の面光源装置はスキャナに限らず例えばＬＣＤを照射するバックライトに用いられる面光源装置、あるいはＯＨＰの面光源装置などスキャナの透過光源ユニットに限らず適用することができる。
【図面の簡単な説明】
【図１】本発明の一実施例によるスキャナに搭載された透過光源ユニットを示す模式的な断面図である。
【図２】本発明の一実施例によるスキャナの構成を示す模式図である。
【図３】本発明の一実施例によるスキャナを示すブロック図である。
【図４】本発明の一実施例によるスキャナに搭載された透過光源ユニットの主走査方向の位置ごとの光量分布を示す模式図であって、（Ａ）はＤ１＞Ｄ２のときを示す図、（Ｂ）はＤ１≦Ｄ２のときを示す図である。
【図５】透過光源ユニットを構成する部材の組合せにより主走査方向の位置ごとの光量部分布の変化を示す図である。
【図６】本発明の一実施例によるスキャナの原稿台に原稿ホルダを載置した状態を示す模式的な平面図である。
【図７】本発明の一実施例によるスキャナの原稿台に原稿ホルダを載置し、さらに原稿ホルダに透過光源ユニットを搭載した状態を示す模式的な平面図である。
【符号の説明】
１    スキャナ（画像読み取り装置）
２    透過原稿
１１    原稿台
２０    キャリッジ
２４    ミラー（撮像手段）
２５    集光レンズ（撮像手段）
２６    ラインセンサ（撮像手段）
２７    Ａ／Ｄ変換部（撮像手段）
４０    透過光源ユニット（透過原稿用光源装置）
４３    蛍光管ランプ（光源部）
４４    第１拡散部材
４５    第２拡散部材
４６    反射部材
４７    駆動回路
【図１】
0003820582.tif 000002
【図２】
0003820582.tif 000003
【図３】
0003820582.tif 000004
【図４】
0003820582.tif 000005
【図５】
0003820582.tif 000006
【図６】
0003820582.tif 000007
【図７】
0003820582.tif 000008